(57)【要約】【課題】収納ケースから引き出されたサドルカバーを任意の位置で拘束し、またその位置で拘束を解除することでサドルカバーを収納ケースに再度収納することが可能なサドルカバー装置を提供すること。【解決手段】サドルカバー１２と、左側板１０ａと右側板１０ｃ、及び仕切板１０ｂを有する収納ケース１０と、サドルカバー１２を巻き取る回転軸１５と、回転軸１５の一端に設置された回転軸１５を巻き戻すための発条バネ２０と、回転軸１５の他端に設置された第１ラチェット機構と、右側板１０ｃに設置され右側板１０ｃを貫通するボタン部５ｃを有し第１ラチェット機構に連結される第２ラチェット機構と、第１ラチェット機構と第２ラチェット機構を付勢するためのコイルバネ３と、を有し、ボタン部５ｃを押すことで、第１ラチェット機構と第２ラチェット機構の拘束状態を解除することを特徴とするサドルカバー装置。【選択図】図２
2017154625.tif 000002
【特許請求の範囲】
【請求項１】
サドルカバーと、
第１側板と第２側板、及び仕切板を有する収納ケースと、
前記第１側板と前記仕切板を貫通して設置され、前記サドルカバーを巻き取る回転軸と、
前記回転軸の一端に設置された該回転軸を巻き戻すためのバネと、
前記回転軸の他端に設置された第１ラチェット機構と、
前記第２側板に設置され、前記第２側板を貫通するボタン部を有し、前記第１ラチェット機構に連結される第２ラチェット機構と、
前記第１ラチェット機構と前記第２ラチェット機構を付勢するための弾性体と、を有し、
前記ボタン部を押すことで、前記第１ラチェット機構と前記第２ラチェット機構の拘束状態が解除されることを特徴とするサドルカバー装置。
【請求項２】
前記第１ラチェット機構が、
外周面にラチェット部を有する第１ラチェット棒と、
前記第１ラチェット棒のラチェット部と噛み合うラチェット部を内側の底面部に有し、前記回転軸の他端部にねじ込まれるラチェットキャップとから構成されることを特徴とする請求項１記載のサドルカバー装置。
【請求項３】
前記第２ラチェット機構が、
外周面にラチェット部を有する第２ラチェット棒と、
前記第２ラチェット棒のラチェット部と噛み合うラチェット部を有し、前記第２側板に設置されるラチェット板とから構成されることを特徴とする請求項１又は２に記載のサドルカバー装置。
【請求項４】
前記第２ラチェット機構が、
中央に軸を有する第１ラチェット片と、
前記軸が中央を貫通し、前記第２側板に設置される、前記第１ラチェット片と噛み合う第２ラチェット片とから構成されることを特徴とする請求項１又は２に記載のサドルカバー装置。
【請求項５】
前記回転軸を巻き戻すための前記バネが発条バネであることを特徴とする請求項１乃至４のいずれか１項に記載のサドルカバー装置。
【請求項６】
前記収納ケースが、自転車のサドルの下部のサドルポストに設置されることを特徴とする請求項１乃至５のいずれか１項に記載のサドルカバー装置。
【発明の詳細な説明】
【技術分野】
【０００１】
本発明は、自転車のサドルを随時カバーで覆うことができる、サドルカバー装置に関する。
【背景技術】
【０００２】
自転車を屋外に駐輪させておいて、時間をおいて再度自転車に乗ろうとした場合、自転車のサドルが雨で濡れて、搭乗者の衣服が濡れたり汚れたりしてしまい、自転車の搭乗者が不愉快な思いをすることがしばしばある。このような場合、搭乗者は濡れた自転車のサドルをハンカチなどで拭き取る場合もあるが、ハンカチが汚れてしまうという問題もある。
【０００３】
このような課題を解決するために、例えば特許文献１には、サドルにサドルカバーを被覆できるようにしたサドルカバー装置に関する技術が開示されている。特許文献１のサドルカバー装置について、図７を参照しつつ以下に説明する。
【０００４】
図７（ａ）は特許文献１のサドルカバー装置の分解斜視図であり、図７（ｂ）は平面断面図であり、図７（ｃ）は巻取りロールの端部詳細図である。特許文献１のサドルカバー装置では、巻取りロール５２にサドルカバー５３が巻き取られた状態で、収納ケース５１内に収納されている。サドルカバー５３の一方端には係止具６１が設置されており、この係止具６１が巻取りロール５２の係止溝６５に係止される。また、サドルカバーの他方の端には係止孔８５を有する把持部８１が設置されている。把持部８１は、自転車の搭乗者が巻かれたサドルカバー５３を引っ張り出す場合に使用される。なお、サドルカバー５３は収納ケース５１に収納される場合には、出し入れ口５８に挿通した状態で収納される。また、巻取りロール５２が収納ケース５１に収納された後は、キャップ５７により端部が塞がれる。
【０００５】
巻取りロール５２の両端部には支持軸６７，６８が設けられおり、収納ケース５１の内部の所定箇所に係合される。巻取りロール５２は、支持軸６７，６８を中心に回転する。また、支持軸６７にはコイルバネ７３が挿入され、コイルバネ７３の一方端が巻取りロール５２の端面の挟持片７４に挟持され、コイルバネ７３の他方端はキャップ５７の内面に突設した一対の挟持片７５間に挟持固定される。なお、サドルカバー装置は保持具８７によって自転車のサドルの下部に設置される。
【先行技術文献】
【特許文献】
【０００６】
【特許文献１】特開平１０−２５０６５８号公報
【発明の概要】
【発明が解決しようとする課題】
【０００７】
しかし、上述したサドルカバー装置では、自転車のサドルにサドルカバー５３を被せた状態では、コイルバネ７３の付勢が常にサドルカバー５３に付加された状態になっており、サドルカバー５３が破損しやすいという課題があった。
【０００８】
本発明は、上記課題を解決するためになされたものであり、収納ケースから引き出されたサドルカバーを任意の位置で拘束し、またその位置で拘束を解除することでサドルカバーを収納ケースに再度収納することが可能なサドルカバー装置を提供することを目的とする。
【課題を解決するための手段】
【０００９】
本発明は、上記課題を解決するため以下の構成を有する。
【００１０】
（１）サドルカバーと、
第１側板と第２側板、及び仕切板を有する収納ケースと、
前記第１側板と前記仕切板を貫通して設置され、前記サドルカバーを巻き取る回転軸と、
前記回転軸の一端に設置された該回転軸を巻き戻すためのバネと、
前記回転軸の他端に設置された第１ラチェット機構と、
前記第２側板に設置され、前記第２側板を貫通するボタン部を有し、前記第１ラチェット機構に連結される第２ラチェット機構と、
前記第１ラチェット機構と前記第２ラチェット機構を付勢するための弾性体と、を有し、
前記ボタン部を押すことで、前記第１ラチェット機構と前記第２ラチェット機構の拘束状態が解除されることを特徴とするサドルカバー装置。
【００１１】
（２）前記第１ラチェット機構が、
外周面にラチェット部を有する第１ラチェット棒と、
前記第１ラチェット棒のラチェット部と噛み合うラチェット部を内側の底面部に有し、前記回転軸の他端部にねじ込まれるラチェットキャップとから構成されることを特徴とする前記（１）記載のサドルカバー装置。
【００１２】
（３）前記第２ラチェット機構が、
外周面にラチェット部を有する第２ラチェット棒と、
前記第２ラチェット棒のラチェット部と噛み合うラチェット部を有し、前記第２側板に設置されるラチェット板とから構成されることを特徴とする前記（１）又は（２）に記載のサドルカバー装置。
【００１３】
（４）前記第２ラチェット機構が、
中央に軸を有する第１ラチェット片と、
前記軸が中央を貫通し、前記第２側板に設置される、前記第１ラチェット片と噛み合う第２ラチェット片とから構成されることを特徴とする前記（１）又は（２）に記載のサドルカバー装置。
【００１４】
（５）前記回転軸を巻き戻すための前記バネが発条バネであることを特徴とする前記（１）乃至（４）のいずれか１項に記載のサドルカバー装置。
【００１５】
（６）前記収納ケースが、自転車のサドルの下部のサドルポストに設置されることを特徴とする前記（１）乃至（５）のいずれか１項に記載のサドルカバー装置。
【発明の効果】
【００１６】
本発明によれば、収納ケースから引き出されたサドルカバーを任意の位置で拘束し、またその位置で拘束を解除することでサドルカバーを収納ケースに再度収納することが可能なサドルカバー装置を提供することができる。
【図面の簡単な説明】
【００１７】
【図１】実施例１のサドルカバー装置の外観を示す図
【図２】実施例１のサドルカバー装置の内部構造を示す平面図
【図３】実施例１のサドルカバー装置を構成する部品を説明するための図
【図４】実施例１のサドルカバー装置の構成を示す分解斜視図
【図５】実施例１のサドルカバー装置の自転車のサドルへの設置状態を示す図
【図６】実施例２のサドルカバー装置の構成を説明するための図
【図７】従来のサドルカバー装置の構成を示す図
【発明を実施するための形態】
【００１８】
本発明を実施するための形態を、図面を参照しつつ以下に説明する。
【実施例１】
【００１９】
図１は、本発明のサドルカバー装置３０の外観を示す図であり、図１（ａ）は平面図、図１（ｂ）は正面図、図１（ｃ）は右側面図である。サドルカバー装置３０は、本体ケース１０と上蓋１１よりなる外筐体を有しており、上蓋１１は４本の固定ねじ４０によって本体ケース１０に固定されている。
【００２０】
本実施例のサドルカバー装置３０は、正面前方にストッパー栓１３がわずかに露出しており、係止紐１３ａがストッパー栓１３の中央に設置されている。使用者は、この係止紐１３ａに指を入れて引くことにより内部に収納されたサドルカバーを引き出すことができる。また、正面右側にはボタン部５ｃが突出しており、左側面にはバネケース２１とキャップ２２が露出している。なお、内部構造の詳細については後述する。
【００２１】
図２は、サドルカバー装置３０の上蓋１１を取り外した状態の内部構造を示す平面図である。サドルカバー装置３０の構造を、図２を参照しつつ以下に説明する。
【００２２】
先端にストッパー栓１３を有するサドルカバー１２は、一端が回転軸１５に固定され、回転軸１５によって巻き取られる。なお、図２はサドルカバー１２を完全に引っ張り出した状態を示している。回転軸１５の左端部には発条バネ２０が取り付けられている。発条バネ２０の外側端部はバネケース２１の内壁部に固定されており、バネケース２１にはキャップ２２がねじ込まれる。
【００２３】
本体ケース１０は、図示したように左側板１０ａ（第１側板）と右側板１０ｃ（第２側板）、中間に仕切板１０ｂを有している。回転軸１５は、左側板１０ａと仕切板１０ｂを貫通して設置されている。また、回転軸１５は筒状体であり、図において右端部の外周面には雄ねじが形成されており、内部に円板１５ａが設置されている。そして、回転軸１５の右端部からコイルバネ３が挿入された第１ラチェット棒４が挿入されるとともにラチェットキャップ２が回転軸１５にねじ込まれている。第１ラチェット棒４とラチェットキャップ２はラチェット機構（第１ラチェット機構）を形成する。更に、第２ラチェット棒５が第１ラチェット棒４に連結され、ラチェット板６が左側板１０ａに固着され、第２ラチェット棒５とラチェット板６はラチェット機構（第２ラチェット機構）を形成する。なお、第１ラチェット棒４とラチェットキャップ２のラチェット機構、及び第２ラチェット棒５とラチェット板６のラチェット機構は、ともにサドルカバー１２が引き出される場合には回転し、その逆の方向にはストッパーが掛かり拘束状態になるラチェット機構であるもとする。
【００２４】
図２は上記したようにサドルカバー１２を完全に引っ張り出した状態を示しているが、この状態でボタン部５ｃを押すことで第１ラチェット棒４とラチェットキャップ２のラチェット機構、及び第２ラチェット棒５とラチェット板６のラチェット機構の拘束状態が解除されて回転軸１５が回転し、サドルカバー１２を回転軸１５に巻き取ることができる。この場合、回転軸１５は回転するが第１ラチェット棒４と第２ラチェット棒５は回転しない。
【００２５】
次に、図３を参照しつつ、第１ラチェット棒４，ラチェットキャップ２，第２ラチェット棒５及びラチェット板６について説明する。
【００２６】
第１ラチェット棒４は図３（ａ１）に示したように、図において右端部の内部に雌ねじ部４ａが形成され、円板状のラチェット部４ｃを有している。また、図３（ａ２）に示したように第１ラチェット棒４は、図において左端部の内部に孔４ｂを有している。なお、孔４ｂには上記したようにコイルバネ３が挿入される。
【００２７】
ラチェットキャップ２は、図３（ｂ）に示したように、内部に雌ねじ部２ａを有するとともに、内側の底面部にラチェット部２ｂを有している。ラチェットキャップ２は、雌ねじ部２ａが回転軸１５の雄ねじ部にねじ込まれることで回転軸１５に固定され、ラチェット部２ｂは第１ラチェット棒４のラチェット部４ｃとラチェット機構（第１ラチェット機構）を構成する。
【００２８】
第２ラチェット棒５は、図３（ｃ）に示したように、一端に雄ねじ部５ａを、他端部にボタン部５ｃを有するとともにラチェット部５ｂを有している。雄ねじ部５ａは第１ラチェット棒４の雌ねじ部４ａにねじ込まれる。ラチェット板６は、図３（ｄ）に示したように、中央部にボス部６ｂ、孔６ｃを有し、その外側にラチェット部６ａを有している。ラチェット部６ａは、第２ラチェット棒５のラチェット部５ｂとラチェット機構（第２ラチェット機構）を構成する。また、孔６ｃには第２ラチェット棒５のボタン部５ｃが挿入される。
【００２９】
上記したサドルカバー装置３０の構造を示す分解斜視図を図４に示す。回転軸１５の左端部には発条バネ２０の内側端部を固定するための切欠き１５ｃが設けられており、左側板１０ａの穴に挿入された回転軸１５はバネケース２１の穴を通って発条バネ２０と連結される。なお、図示しないがバネケース２１の内壁は、発条バネ２０の外側端部を固定するための固定部を有している。
【００３０】
既に述べたように、第１ラチェット棒４にはコイルバネ３が挿入された後、ラチェットキャップ２を回転軸１５にねじ込む。コイルバネ３の一端は円板１５ａに接触する。次に、第１ラチェット棒４に第２ラチェット棒５をねじ込む。第２ラチェット棒５はラチェット板６を貫通し右側板１０ｃの外側に突出する。
【００３１】
本実施例のサドルカバー装置３０の自転車のサドルへの設置について、図５を参照しつつ以下に説明する。サドルカバー装置３０を自転車のサドル２６に設置するための取付具２４を図５（ａ），（ｂ）に示す。取付具２４は、サドルカバー装置３０の背面側に固定ねじ２５によって固定されている。ねじによる固定ではなく、接着や溶接によって固定してもよい。なお、取付具２４には種々の形状のものが考えられ、本実施例の取付具はその一例を示したものである。図５（ｃ）は、本実施例のサドルカバー装置３０を、自転車のサドル２６の下側に設置した状態を示す図である。サドルカバー装置３０は、サドルポスト２８の上部に取付具２４によって固定されており、使用者はサドルカバー装置３０のサドルカバー１２を引っ張り出したのち、係止紐１３ａをフック２７に固定する。
【実施例２】
【００３２】
本実施例のサドルカバー装置は、実施例１のサドルカバー装置３０の第２ラチェット棒５とラチェット板６のラチェット機構（第２ラチェット機構）を２個の長尺状のラチェット片で構成したことを特徴とする。本実施例のラチェット機構を、図６を参照しつつ以下に説明する。
【００３３】
図６（ａ）に示したように、本実施例のラチェット機構は、中央に穴９を有する第１ラチェット片８ａと軸７を有する第２ラチェット片８ｂとにより構成される。軸７は第２ラチェット片８ｂに固着されている。なお、軸７は第１ラチェット片８ａの穴９に挿入される。また、第１ラチェット片８ａは壁Ｗに固定されるものとする。第１ラチェット片８ａと第２ラチェット片８ｂは、図示したように垂直面Ｖと傾斜面Ｓを有している。
【００３４】
図６（ｂ１）〜図６（ｂ３）は、第１ラチェット片８ａが固定された状態で、第２ラチェット片８ｂが順次回転している状態を示している。図６（ｂ１）において、第２ラチェット片８ｂはＡ方向に回転している。なお、図６（ｂ１）において第２ラチェット片８ｂはＡ方向の逆方向には回転することはできない。第１ラチェット片８ａの垂直面Ｖと第２ラチェット片８ｂの垂直面Ｖが衝突し回転を阻止するからである。
【００３５】
図６（ｂ２）は、第２ラチェット片８ｂが図６（ｂ１）の状態から略９０°回転した状態を示している。図６（ｂ２）の状態から第２ラチェット片８ｂが更にＡ方向に回転しても滑らかに回転し図６（ｂ３）の状態になる。すなわち、第２ラチェット片８ｂの傾斜面Ｓが第１ラチェット片８ｂの傾斜面Ｓに滑らかに載る状態になるからである。このように、第１ラチェット片８ａと第２ラチェット片８ｂのラチェット機構では、第２ラチェット片８ｂはＡ方向には滑らかに回転し、Ａ方向の逆方向には回転できない構造になっている。
【００３６】
図６（ｃ）は、上記したラチェット機構を適用したサドルカバー装置の内部構造を示す。なお、サドルカバー１２は省略して図示されている。
【００３７】
第１ラチェット片８ａは、右側板１０ｃの内側に固定されている。そして、第２ラチェット片８ｂの軸７の左端部は第１ラチェット棒４の端面の中心に固定されている。軸７の右端部を指で押すことで、第１ラチェット棒４とラチェットキャップ２のラチェット機構及び第１ラチェット片８ａと第２ラチェット片８ｂのラチェット機構が解除される。また、軸７の右端部を押すことを中断すると、２つのラチェット機構が拘束状態になり回転軸１５の回転は停止する。なお、回転軸１５が回転している状態においては、軸７は回転しない。
【００３８】
本発明のサドルカバー装置によれば、収納ケースから引き出されたサドルカバーを任意の位置で拘束し、またその位置で拘束を解除することでサドルカバーを収納ケースに再度収納することができる。
【符号の説明】
【００３９】
２      ラチェットキャップ
３      コイルバネ
４      第１ラチェット棒
５      第２ラチェット棒
６      ラチェット板
７      軸
８ａ    第１ラチェット片
８ｂ    第２ラチェット片
１０    本体ケース
１０ａ  左側板（第１側板）
１０ｂ  仕切板
１０ｃ  右側板（第２側板）
１２    サドルカバー
１５    回転軸
２０    発条バネ
【図１】
2017154625.tif 000003
【図２】
2017154625.tif 000004
【図３】
2017154625.tif 000005
【図４】
2017154625.tif 000006
【図５】
2017154625.tif 000007
【図６】
2017154625.tif 000008
【図７】
2017154625.tif 000009